【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
データを管理するクライアントと、当該クライアントで管理されるデータを利用して機能を提供するサービスとを、ネットワークを介して連携させる中継機能を備える情報処理端末であって、
前記サービスから、前記サービスの提供する機能の異なる設定での処理のそれぞれに対応する複数の機能情報の少なくとも１つを、選択的に登録するための情報を受信する受信手段と、
前記受信手段により受信された情報に基づく選択に応じた、前記中継機能による、少なくとも１つの機能情報の登録処理を実行する登録手段と、
前記クライアントで管理される特定のデータについて前記登録処理により登録された機能情報の何れかが選択された場合に、前記選択された機能情報に基づき、前記サービスに対して当該特定のデータを処理させるための要求を行う要求手段と、を有し、
前記受信手段により受信される情報により選択的に登録できる複数の機能情報は、同じカテゴリを示すことを特徴とする情報処理端末。
【請求項２】
前記受信手段により受信される情報により選択的に登録できる複数の機能情報は、前記サービスにおいて編集可能に管理されることを特徴とする請求項１に記載の情報処理端末。
【請求項３】
前記受信手段により受信される情報により選択的に登録できる複数の機能情報は、前記編集による変更が管理されることを特徴とする請求項２に記載の情報処理端末。
【請求項４】
前記受信手段により受信される情報により選択的に登録できる複数の機能情報は、ユーザアカウントごとに管理されることを特徴とする請求項２又は３に記載の情報処理端末。 
【請求項５】
前記受信手段により受信される情報により選択的に登録できる複数の機能情報は、前記サービスが提供する画面を介して、前記サービスに事前に登録することができることを特徴とする請求項１乃至４のいずれか１項に記載の情報処理端末。
【請求項６】
前記カテゴリは、前記特定のデータを共有するカテゴリ、前記特定のデータを編集するカテゴリ、前記特定のデータを閲覧するカテゴリ、前記特定のデータを取得するカテゴリ、前記特定のデータを保存するカテゴリの少なくともいずれかを含むことを特徴とする請求項１乃至５のいずれか１項に記載の情報処理端末。
【請求項７】
前記クライアント及び前記中継機能は、ともに、前記情報処理端末の機能であることを特徴とする請求項１乃至６のいずれか１項に記載の情報処理端末。
【請求項８】
前記ネットワークは、インターネットであることを特徴とする請求項１乃至７のいずれか１項に記載の情報処理端末。
【請求項９】
前記中継機能は、前記情報処理端末のオペレーティングシステム又はウェブブラウザの機能として提供されることを特徴とする請求項１乃至８のいずれか１項に記載の情報処理端末。
【請求項１０】
クライアントで管理されるデータを情報処理端末の中継機能によりネットワークを介して受け取り、該データを利用して機能を提供するサービスとして機能する処理装置であって、
前記サービスの提供する機能の異なる設定での処理のそれぞれに対応する複数の機能情報の少なくとも１つを、選択的に前記情報処理端末に登録するための情報を前記情報処理端末に送信する送信手段と、
前記中継機能から、特定のデータの指定と前記送信手段により送信された情報に基づいて選択的に登録された機能情報の何れかの選択に応じた要求を受けて、当該選択された機能情報に対応する設定で当該特定のデータを処理する処理手段と、を有し、
前記送信手段により送信する情報により選択的に登録できる複数の機能情報は、同じカテゴリを示すことを特徴とする処理装置。
【請求項１１】
前記送信手段により送信する情報により選択的に登録できる複数の機能情報を、編集可能に管理することを特徴とする請求項１０に記載の処理装置。
【請求項１２】
前記送信手段により送信する情報により選択的に登録できる複数の機能情報の、前記編集による変更を管理することを特徴とする請求項１１に記載の処理装置。
【請求項１３】
前記送信手段により送信する情報により選択的に登録できる複数の機能情報を、ユーザアカウントごとに管理することを特徴とする請求項１１又は１２に記載の処理装置。
【請求項１４】
前記送信手段により送信する情報により選択的に登録できる複数の機能情報を、事前に前記サービスに登録するための画面を提供する提供手段を更に有することを特徴とする請求項１０乃至１３のいずれか１項に記載の処理装置。
【請求項１５】
前記カテゴリは、前記特定のデータを共有するカテゴリ、前記特定のデータを編集するカテゴリ、前記特定のデータを閲覧するカテゴリ、前記特定のデータを取得するカテゴリ、前記特定のデータを保存するカテゴリの少なくともいずれかを含むことを特徴とする請求項１０乃至１４のいずれか１項に記載の処理装置。
【請求項１６】
前記ネットワークは、インターネットであることを特徴とする請求項１０乃至１５のいずれか１項に記載の処理装置。
【請求項１７】
データを管理するクライアントと、当該クライアントで管理されるデータを利用して機能を提供するサービスとを、ネットワークを介して連携させる中継機能を備える情報処理端末の制御方法であって、
前記サービスから、前記サービスの提供する機能の異なる設定での処理のそれぞれに対応する複数の機能情報の少なくとも１つを、選択的に登録するための情報を受信する受信ステップと、
前記受信ステップにより受信された情報に基づく選択に応じた、前記中継機能による、少なくとも１つの機能情報の登録処理を実行する登録ステップと、
前記クライアントで管理される特定のデータについて前記登録処理により登録された機能情報の何れかが選択された場合に、選択された機能情報に基づき、前記サービスに対して当該特定のデータを処理させるための要求を行う要求ステップと、を有し、
前記受信ステップにより受信される情報により選択的に登録できる複数の機能情報は、同じカテゴリを示すことを特徴とする情報処理端末の制御方法。
【請求項１８】
クライアントで管理されるデータを情報処理端末の中継機能によりネットワークを介して受け取り、該データを利用して機能を提供するサービスとして機能する処理装置の制御方法であって、
前記サービスの提供する機能の異なる設定での処理のそれぞれに対応する複数の機能情報の少なくとも１つを、選択的に前記情報処理端末に登録するための情報を前記情報処理端末に送信する送信ステップと、
前記中継機能から、特定のデータの指定と前記送信ステップにより送信された情報に基づいて選択的に登録された機能情報の何れかの選択に応じた要求とを受けて、当該選択された機能情報に対応する設定で当該特定のデータを処理する処理ステップと、を有し、
前記送信ステップにより送信する情報により選択的に登録できる複数の機能情報は、同じカテゴリを示すことを特徴とする処理装置の制御方法。
【請求項１９】
コンピュータを、請求項１乃至９のいずれか１項に記載された手段として機能させるためのプログラム。
【請求項２０】
コンピュータを、請求項１０乃至１６のいずれか１項に記載された手段として機能させるためのプログラム。
【手続補正２】
【補正対象書類名】明細書
【補正対象項目名】００１１
【補正方法】変更
【補正の内容】
【００１１】
本発明は、データを管理するクライアントと、当該クライアントで管理されるデータを利用して機能を提供するサービスとを、ネットワークを介して連携させる中継機能を備える情報処理端末であって、前記サービスから、前記サービスの提供する機能の異なる設定での処理のそれぞれに対応する複数の機能情報の少なくとも１つを、選択的に登録するための情報を受信する受信手段と、前記受信手段により受信された情報に基づく選択に応じた、前記中継機能による、少なくとも１つの機能情報の登録処理を実行する登録手段と、前記クライアントで管理される特定のデータについて前記登録処理により登録された機能情報の何れかが選択された場合に、前記選択された機能情報に基づき、前記サービスに対して当該特定のデータを処理させるための要求を行う要求手段と、を有し、前記受信手段により受信される情報により選択的に登録できる複数の機能情報は、同じカテゴリを示すことを特徴とする。